(57)【要約】本発明は、水平方向に延びる床部（１）である第１のセクションと、床部（１）から略垂直方向に延びる壁部（２）である第２のセクションと、を備え、床部（１）は、床部（１）と壁部（２）とによって部分的に区切られた空間（４）に熱出力を放出する面状加熱設備（３Ａ）を備える低温防止装置に関する。
2020524390.tif 000002
【特許請求の範囲】
【請求項１】
水平方向に延びる床部（１）である第１のセクションと、前記床部（１）から略垂直方向に延びる壁部（２）である第２のセクションと、を備え、
前記床部（１）は、前記床部（１）と前記壁部（２）とによって部分的に区切られた空間（４）に熱出力を放出する面状加熱設備（３Ａ）を備える、低温防止装置。
【請求項２】
前記壁部（２）は、前記床部（１）と前記壁部（２）とによって部分的に区切られた空間（４）に熱出力を放出する面状加熱設備（３Ｂ）を備える、請求項１に記載の低温防止装置。
【請求項３】
１つ又は複数の面状加熱設備（３Ａ，３Ｂ）によって放出される熱出力は、実質的に熱放射の形で放出される、請求項１又は２に記載の低温防止装置。
【請求項４】
前記面状加熱設備（３Ａ）及び／又は前記面状加熱設備（３Ｂ）は、前記空間（４）に赤外線を放射する少なくとも１つの赤外線放射器を備える、請求項１〜３のいずれか１つに記載の低温防止装置。
【請求項５】
前記空間（４）から離れて面する前記壁部（２）の側面（８）は、略平面であるように構成されている、請求項１〜４のいずれか１つに記載の低温防止装置。
【請求項６】
前記空間（４）に面する前記床部（１）側は、立っていることに耐えられる表面カバー、特に人工芝カバーを備える、請求項１〜５のいずれか１つに記載の低温防止装置。
【請求項７】
前記低温防止装置の床部（１）及び／又は壁部（２）の対向する横方向の周辺領域は、少なくとも１つの低温防止装置を連結することによって低温防止装置をモジュール式に拡張可能な相補的なインターフェース（５）を備える、請求項１〜６のいずれか１つに記載の低温防止装置。
【請求項８】
個別に輸送及び設置可能である自律装置として構成され、実質的に床部（１）と壁部（２）とを有する、請求項１〜７のいずれか１つに記載の低温防止装置。
【請求項９】
前記床部（１）及び前記壁部（２）は、輸送の目的で、互いに着脱可能に及び／又は接合部で接続されている、請求項１〜８のいずれか１つに記載の低温防止装置。
【請求項１０】
前記床部（１）は、座席設備を配置し、固定するための領域を有する、請求項１〜９のいずれか１つに記載の低温防止装置。
【発明の詳細な説明】
【技術分野】
【０００１】
本発明は、特にスポーツイベントで使用することができ、人々を寒さの影響から保護する、屋外用の低温防止装置に関する。
【背景技術】
【０００２】
サッカーの試合などのスポーツイベントでは、現在試合に参加しておらず、交代選手として待機しているアスリートは、ピッチの周辺にある、いわゆる交代ベンチに座っている。特にスポーツイベントが屋外で開催されている場合、試合に入る可能性があるために交代ベンチで待っている人は、低温にさらされる。これは、前述の人にとって著しく不快であるだけでなく、その後の試合への関与にとっても明らかに逆効果である。このため、低体温症から保護するために、いわゆる「レイヤードアレンジメント」で複数の衣服を重ねて着用する。特に、サッカー選手は、敏感な足のために「MoonBoots（登録商標）」と呼ばれる断熱性の高いスノーブーツや、怪我をしやすい脚のために毛布を特によく使用する。一方、このことは、実際の選手の衣服を着用することを妨げるため、試合に入るときに面倒な衣服の交換を必要とする。
【０００３】
独国特許出願公開第３５４５８６２号明細書には、人が座るためのベンチを備え、それに座っている人が風雨に晒されることから保護し、病気のリスクや健康被害を避けることを目的とする家屋状の保護装置が開示されている。とりわけ、この目的のために、ベンチの座席エリアの下には、加熱及び／又は冷却空気を家屋状の保護装置に放出する暖房及び空調設備が設けられている。しかしながら、温められた加熱空気は、特に吹き出されるときに不快であると感じられることが多く、身体の患部が不均一に暖められることもあり、これも同様に不快であると感じられる。
【発明の概要】
【発明が解決しようとする課題】
【０００４】
本発明の目的は、普遍的且つ迅速に使用することができるとともに、アスリートを快適な方法で低体温から保護し、試合中の怪我のリスクを大幅に低減することができる低温防止装置を提供することにある。
【課題を解決するための手段】
【０００５】
この目的は、独立請求項１の主題によって解決され、従属請求項は、本発明の好適な実施形態を定義する。
【０００６】
本発明は、水平方向に延びる床部である第１のセクションと、床部から略垂直方向に延びる壁部である第２のセクションと、を備え、床部は、床部と壁部とによって部分的に区切られた空間に熱出力を放出する面状加熱設備を備える。
【０００７】
言い換えると、本発明は、実質的に水平セグメントと垂直セグメントとを有する加熱装置を提供する。水平セグメントは、座席設備に座っている人の起立領域又は床として機能する。垂直セグメントは、座席設備の前に配置された風又はプライバシーの遮蔽物として機能する。水平な床部の面状加熱設備は、床部の寸法にわたってその上の空間に熱を均一に放出し、不快と感じられる身体の部分の局所的な加温を回避する。
【０００８】
熱出力を増加させるために、低温防止装置の壁部は、そこにいる人々に対して後方に熱を放出する、床部のような面状加熱設備を備えてもよい。このことは、異なる方向から付加的な熱入力があり、床部と壁部とによって部分的に区切られた空間に位置する身体の部分を更に均一に温めることを意味する。
【０００９】
特に好適な実施形態において、床部及び／又は壁部の面状加熱設備によって放出される熱出力は、実質的に熱放射の形で放出される。床部及び／又は壁部の加熱設備は、床部及び壁部によって部分的に区切られた空間の方向に赤外線を放出する少なくとも１つの赤外線放射器を備えてもよい。
【００１０】
したがって、身体の各部に投入される熱は、肌の表面のすぐ下に快適な方法で生成することができる。また、このことは、選手の足及び脚の敏感な領域に一定の生理的な熱を生成する。長波放射の透過熱は、太陽の暖かさと同様に明確な方法で知覚され、身体的及び精神的な健康の両方を向上させる。
【００１１】
また、実質的に垂直方向に延在する壁部もこれに寄与し、選手をある程度視覚的に遮蔽し、暖房設備と組み合わせて、選手にとって快適な環境を作り出す。
【００１２】
後方の空間から離れて面する垂直な壁部の側面は、略平面であるように構成されることができ、ピッチに面する広告スペースとして機能することができる。この目的のために、前記側面は、それに取り付けられた広告スローガンを観客が可能な限り垂直な角度から見られるように、後方に僅かに傾けられてもよい。
【００１３】
加えて、床部の上側、すなわち、着席した選手に面する側は、表面カバー、特に立っていることに耐えられる人工芝カバーを備えてもよい。起立領域をピッチ環境のグランドコンディションに合わせることは、本発明に係る低温防止装置が、試合への関与が想定される履物に都合よく入れられることを意味する。
【００１４】
より好適な実施形態において、本発明に係る低温防止装置は、モジュール式に拡張可能に構成されることができる。それにより、所望の数の人々に寒さからの保護を提供するために、必要に応じて自由に拡張することができる。この目的のために、床部及び／又は壁部の対向する横方向の周辺領域は、任意の２つのモジュールを互いに連結することができる相補的なインターフェースを備えることが想定される。相補的なインターフェースは、例えば、個々のモジュールをポジティブフィットによって互いに固定的に連結するために、一方の側又は相互に係合するようにそれぞれ構成されてもよい。
【００１５】
本発明の主な利点は、低温防止装置を、自律装置として、すなわち他の設備又は施設に連結されない装置として提供できることにある。したがって、個別に輸送及び設置可能である。本発明に係る低温防止装置は、気象条件に応じて、既に設置されている交代ベンチの前に迅速に設置することができ、或いは、交代ベンチを補完する固定された施設及び設備として現場に残すことができる。
【００１６】
輸送目的のために、低温防止装置の個々のモジュールは、上下に積み重ねることができるように構成されてもよい。これは、輸送のために、特にスペースを節約する方法で、低温防止装置を分解又は折り畳むことができるように、床部と壁部とが互いに着脱可能に及び／又は接合部で接続されている場合に特に有利であると考えられる。
【００１７】
逆に、低温防止装置の床部は、座席設備を配置するか、更には固定するために構成される領域を有してもよい。言い換えれば、床部は、交代ベンチを支えたり、少なくともサポートしたりするために、上方へ交代ベンチの下部まで延在する。
【図面の簡単な説明】
【００１８】
本発明は、添付の図面を参照することにより、好適な実施形態に基づいて以下により詳細に説明される。本発明に係る低温防止装置は、以下に説明する特徴を、個別及び任意の適切な組み合わせで備えることができる。
【００１９】
【図１】本発明に係る低温防止装置のモジュールの四面図を示している。
【発明を実施するための形態】
【００２０】
本発明に係る低温防止装置は、水平に延在する床部１であって、その下側がピッチの周囲の地面に置かれ、その上側が人工芝カバー７を有する、床部１を実質的に備えている。床部１の上には空間領域４が位置し、人工芝カバー７は、略垂直方向に延在する壁部２によって区切られている。交代ベンチ（図示せず）に座っている人々の脚は、この空間領域４内に少なくとも部分的に位置している。言い換えれば、人々は、床部１に足を置くように交代ベンチに座っている一方で、選手の前に配置された壁部２は、プライバシーの遮蔽物を提供する。
【００２１】
床部１と壁部２の両方は、空間４内にその寸法にわたって均一に赤外線を放射する面状加熱設備を備えている。この赤外線は、交代ベンチに座っている選手の脚及び足の領域を少なくとも暖め、選手の低体温を防ぐ。壁部２の面状加熱設備３Ｂは、本発明に係る低温防止装置の背面図で見ることができ（図１の右側）、床部１の対応する面状加熱設備３Ａは、人工芝７によって覆われ、人工芝７から熱を放出する。平面図（図１の下部）においては、床部１の暖房設備が参照符号３Ａで示されている。
【００２２】
壁部２の前方に面する側面８は、それに取り付けられた広告スローガンを可能な限り垂直な角度から観客に見せるために、僅かな角度だけ後方に傾けられている。
【００２３】
床部１の対向する横方向の周辺領域は、インターロッキングによってポジティブフィット接続を確立するように構成された相補的なインターフェース５を備えている。これに代えて、又はこれに加えて、壁部２の対応する側方の周辺領域もそのようなインターフェース５を備えてもよい。インターフェース５は、対応する数のモジュールを連結することによって形成される任意の長さの低温防止装置を可能にする。
【図１】
2020524390.tif 000003
【国際調査報告】
2020524390.tif 000004
2020524390.tif 000005
2020524390.tif 000006
2020524390.tif 000007